(57)【要約】【課題】ハンドル部材の回動中心となる中心軸の向きを変更可能な角度調節機構を備えたものにおいて、位置決め時に中心軸の向きを安定的に維持することができる構成を提供する。【解決手段】遊技機用発射ハンドル１０は、遊技機に固定される固定部１１に対し、回動軸Ｇ１を中心として回動可能な回動ベース部１２が取り付けられ、回動ベース部１２に対し中心軸Ｇ２を中心として回動可能なハンドル部材１３が取り付けられている。更に、回動ベース部１２の回動角度を調整する角度調節機構１４と、外部操作に応じて角度調節機構１４のロックを解除し、外部操作の解除に応じて角度調節機構１４をロックするロック機構１５とが設けられている。【選択図】図１３
2012016510.tif 000002
【特許請求の範囲】
【請求項１】
遊技機に固定されると共に所定方向に突出して配置される固定部と、
前記固定部の突出方向と交差する方向の回動軸を中心として回動可能となるように前記固定部に取り付けられた回動ベース部と、
前記回動ベース部の前記回動軸と交差する方向に沿った中心軸を中心として回動可能となるように前記回動ベース部に取り付けられたハンドル部材と、
前記固定部に対する前記回動ベース部の回動角度を調整する角度調節機構と、
外部操作に応じて前記角度調節機構のロックを解除し、外部操作の解除に応じて前記角度調節機構をロックするロック手段と、
を有し、
前記角度調節機構は、
前記固定部に、前記回動軸の周方向に沿って形成された被係合部と、
前記回動ベース部において前記中心軸に沿って移動可能に保持され、前記被係合部と係合する係合位置と前記被係合部との係合が解除される退避位置とで変位する可動片と、
を備え、
前記可動片が前記係合位置にあるときに前記固定部に対する前記回動ベース部の回動角度が固定され、前記可動片が前記退避位置に変位することにより前記固定部に対する前記回動ベース部の回動角度が変更可能となるように構成されており、
前記ロック手段は、
前記可動片の前記係合位置から前記退避位置への移動を拘束して前記回動ベース部の回動角度を変更困難とするロック位置と、前記可動片の移動を許容するロック解除位置とで変位するロック部と、
外部からの操作に応じて前記ロック部を前記ロック解除位置に変位させ、また前記ロック部をロック位置に変位させる操作部と、
を備えたことを特徴とする遊技機用発射ハンドル。
【請求項２】
前記ロック手段が前記ハンドル部材に設けられていることを特徴とする請求項１に記載の遊技機用発射ハンドル。
【請求項３】
前記可動片は、
前記被係合部と係合可能な係合部と、
前記係合部側から前記中心軸に沿って延出する延出部と、
前記延出部から折れ曲がり、前記ロック部によって該可動片の移動を規制するためのストッパ部と
を備え、
前記係合部が、前記被係合部に対して前記回動軸の径方向内側に配されており、
前記ロック部は、
前記中心軸と直交する平面に沿って変位するスライド部を備え、
前記ロック位置において、前記スライド部が、前記ストッパ部における前記中心軸方向の一方側の面と対向するように入り込むことで、前記可動片の前記中心軸方向一方側への移動を拘束することを特徴とする請求項１又は請求項２に記載の遊技機用発射ハンドル。
【請求項４】
前記スライド部は、前記ハンドル部材の回動に応じて所定の回動可能範囲内で回動する構成をなし、且つ円弧状に形成された湾曲内縁部を有する切欠部を備え、
前記可動片は、前記切欠部内を挿し通された状態で配置されており、
前記スライド部は、前記湾曲内縁部が前記ストッパ部に対して相対的に前記中心軸周りに回動する構成をなし、且つ前記回動可能範囲内で前記ロック位置となったときに、前記湾曲内縁部が前記ストッパ部側に近接して当該ストッパ部における前記中心軸方向の一方側の面と対向するように入り込み、前記回動可能範囲内で前記ロック解除位置となったときには、前記湾曲内縁部が前記ストッパ部から離間して前記ストッパ部の拘束を解除することを特徴とする請求項３に記載の遊技機用発射ハンドル。
【請求項５】
前記ハンドル部材は、前記回動ベース部に回動可能に保持されると共に前記スライド部に対して前記中心軸方向一方側に配置される基部を備え、
前記回動ベース部は、
前記固定部に回動可能に保持されると共に、前記基部に対して前記中心軸方向一方側に配置される一方側把持部材と、
前記スライド部の前記中心軸方向他方側を支持するガイド壁を備え、前記基部の前記中心軸方向他方側を覆う構成で前記一方側把持部材に固定される他方側把持部材と、
を備え、
前記スライド部は、前記基部と前記ガイド壁とによって前記中心軸方向の両側が挟まれた拘束状態で、当該中心軸と直交する方向に沿ってスライドすることを特徴とする請求項３又は請求項４に記載の遊技機用発射ハンドル。
【請求項６】
前記一方側把持部材と前記他方側把持部材とが、前記基部を跨いで配置されるボスによって互いに固定され、
前記一方側把持部材及び前記他方側把持部材のいずれか一方には、他方側に突出する係止片が形成され、
前記一方側把持部材及び前記他方側把持部材のいずれか他方には、前記係止片の係止を受ける被係止部が設けられており、
前記係止片が前記被係止部に係止した状態で、前記一方側把持部材と前記他方側把持部材とが、前記ボスによって連結されていることを特徴とする請求項４又は請求項５に記載の遊技機用発射ハンドル。
【請求項７】
請求項１から請求項６のいずれか一項に記載の遊技機用発射ハンドルを備えたことを特徴とする遊技機。
【発明の詳細な説明】
【技術分野】
【０００１】
本発明は、遊技機用発射ハンドル及びそれを備えた遊技機に関するものである。
【背景技術】
【０００２】
パチンコ機などの遊技機で用いられる発射ハンドルでは、遊技機に固定される固定部に、所定の中心軸線回りに回動可能なハンドル部材が保持された構成が一般的に用いられている。この種の発射ハンドルでは、ハンドル部材の回動の中心が常に同方向となるため、遊技者は、手首がほぼ同じ位置に固定された状態でハンドル部材を把持することが多くなり、遊技が長時間に及ぶ場合に手首等に疲労が蓄積しやすいことが懸念される。
【０００３】
このような問題を解消しようとする技術としては、例えば特許文献１のようなものが提供されている。この特許文献１では、遊技機に取り付けられる固定部（ハンドル取付基部（１））に対するハンドル部材（ハンドル本体（２））の傾斜角度を変更可能な角度調節機構と、この角度調節機構を作動させるための調整レバー（２２）とが設けられており、ハンドル取付基部（１）に対するハンドル本体（２）の角度変更を可能としている。
【先行技術文献】
【特許文献】
【０００４】
【特許文献１】特開２００５−４０４２６号公報
【発明の概要】
【発明が解決しようとする課題】
【０００５】
ところで、特許文献１の技術では、ハンドル本体（２）の先端部に山形歯（１４）が形成され、ハンドル取付基部（１）には、山形歯（１４）と噛合する係止片（２０）が設けられている。そして、強付勢バネ２１の付勢により山形歯（１４）と係止片（２０）とを噛合させて、ハンドル本体（２）の上下方向傾き角を他段階に調整可能としており、強付勢バネ（２１）の付勢に抗して調整レバー（２２）を操作し、係止片（２０）を山形歯（１４）から退避させたときにハンドル取付基部（１）に対してハンドル本体（２）を変位させることができるようになっている。
【０００６】
しかしながら、特許文献１のように山形歯（１４）と係止片（２０）とを単純に噛み合わせる構成の場合、ハンドル本体（２）が強く操作されたときに山形歯（１４）と係止片（２０）の係合が解除されやすくなるため、ハンドル本体（２）が所望の傾斜角度に安定的に維持されにくいという問題がある。特に山形歯（１４）や係止片（２０）の山が小さいと、いずれか一方の山が他方の山を乗り越えやすくなってしまうため、このような係合解除の問題が顕著となる。
【０００７】
本発明は、上述した課題を解決するためになされたものであり、ハンドル部材の回動中心となる中心軸の向きを変更可能な角度調節機構を備えた遊技機用発射ハンドル及び遊技機において、位置決め時に中心軸の向きを安定的に維持することができる構成を提供することを目的とする。
【課題を解決するための手段】
【０００８】
本発明は、遊技機に固定されると共に所定方向に突出して配置される固定部と、
前記固定部の突出方向と交差する方向の回動軸を中心として回動可能となるように前記固定部に取り付けられた回動ベース部と、
前記回動ベース部の前記回動軸と交差する方向に沿った中心軸を中心として回動可能となるように前記回動ベース部に取り付けられたハンドル部材と、
前記固定部に対する前記回動ベース部の回動角度を調整する角度調節機構と、
外部操作に応じて前記角度調節機構のロックを解除し、外部操作の解除に応じて前記角度調節機構をロックするロック手段と、
を有し、
前記角度調節機構が、
前記固定部に、前記回動軸の周方向に沿って形成された被係合部と、
前記回動ベース部において前記中心軸に沿って移動可能に保持され、前記被係合部と係合する係合位置と前記被係合部との係合が解除される退避位置とで変位する可動片と、
を備え、
前記可動片が前記係合位置にあるときに前記固定部に対する前記回動ベース部の回動角度が固定され、前記可動片が前記退避位置に変位することにより前記固定部に対する前記回動ベース部の回動角度が変更可能となるように構成されており、
前記ロック手段が、
前記可動片の前記係合位置から前記退避位置への移動を拘束して前記回動ベース部の回動角度を変更困難とするロック位置、と前記可動片の移動を許容するロック解除位置とで変位するロック部と、
外部からの操作に応じて前記ロック部を前記ロック解除位置に退避させ、また前記ロック部をロック位置に変位させる操作部と、
を備えたことを特徴とする。
【発明の効果】
【０００９】
本発明は、固定部に対する回動ベース部の回動角度を調節する角度調節機構に加え、ロック手段が設けられているので、ハンドル部材の回動中心軸の向きを変更可能な構成を実現でき、更に、ロック手段によりロック解除を行わない限り回動ベース部の回動角度を変更することができなくなるため、位置決め時に中心軸の向きを安定的に維持することができる。
特に、角度調節機構は、固定部側に被係合部が形成され、回動ベース部側に、中心軸に沿って変位する可動片が設けられており、可動片が係合位置にあるときには可動片と被係合部との係合状態が維持されるため、固定部に対する回動ベース部の相対移動が許容されず、固定部に対する回動ベース部の回動角度が固定されるようになっている。一方、可動片が退避位置に変位することにより可動片と被係合部との係合状態が解除されるため、固定部に対して回動ベース部の相対移動が許容され、このときに固定部に対する回動ベース部の回動角度が変更可能となる。この構成によれば、可動片を動作させる簡易な構成によって回動ベース部の固定状態と固定解除状態とを切り替えることができる。
そして、ロック手段は、ロック位置とロック解除位置とで変位可能なロック部を備え、このロック部を操作部によって操作できるようになっており、ロック部がロック位置にあるときには、可動片の係合位置から退避位置への移動を拘束して回動ベース部の回動角度を変更困難とし、ロック解除位置にあるときには、可動片の移動を許容している。従って、操作部によって操作されるロック部の位置によって可動片の移動拘束状態と移動許容状態とを簡単に切り替えることができ、遊技者による外部操作によって可動片を所望の位置に切り替え得る構成、ひいては、遊技者による外部操作によって回動ベース部を固定状態と固定解除状態とに任意に切り替え得る構成を簡易に実現できる。
【００１０】
また、本発明は、ロック手段がハンドル部材に設けられていてもよい。
このように遊技者にとって見やすく操作しやすいハンドル部材にロック手段を配置することで、回動ベース部の回動角度の変更を操作性良く容易に且つ迅速に行うことができる。特に、遊技中（ハンドル部材を操作中）に、遊技者の手からそれほど離れてない位置にロック手段が配置され、遊技中であっても手や指先をそれほど移動させずにロック手段を操作することができるため、遊技中にも操作性が損なわれず、操作性が良好に維持される。
【００１１】
また、本発明は、可動片において、被係合部と係合可能な係合部と、係合部側から中心軸に沿って延出する延出部と、延出部から折れ曲がり、ロック部によって可動片の移動を規制するためのストッパ部とが設けられ、係合部が、固定部の被係合部に対して回動軸の径方向内側に配されていてもよい。
そして、ロック部において、中心軸と直交する平面に沿って変位するスライド部が設けられ、ロック位置において、スライド部が、ストッパ部における中心軸方向の一方側の面と対向するように入り込むことで、可動片の中心軸方向一方側への移動を拘束するように構成されていてもよい。
【００１２】
この構成では、ロック部として機能するスライド部が単純なスライド動作によってロック位置とロック解除位置とに切り替わるようになっており、一方側のロック位置では、可動片の一部をなすストッパ部に対して中心軸方向の一方側の面と対向するように入り込ませさえすれば、当該可動片の中心軸方向一方側への移動をより確実に規制することができる。従って、外部操作に応じてロック部をロック位置とロック解除位置とに切り替える構成を複雑な機構を用いずに簡素化でき、且つロック位置において可動片の変位を確実に拘束し得る構成を簡易に実現できる。
【００１３】
また、本発明は、スライド部が、ハンドル部材の回動に応じて所定の回動可能範囲内で回動する構成をなし、且つ円弧状に形成された湾曲内縁部を有する切欠部を備えていてもよい。そして、可動片が、切欠部内を挿し通された状態で配置され、スライド部は、湾曲内縁部がストッパ部に対して相対的に中心軸周りに回動し、且つ回動可能範囲内でロック位置となったときに、湾曲内縁部がストッパ部側に近接して当該ストッパ部における中心軸方向の一方側の面と対向するように入り込み、回動可能範囲内でロック解除位置となったときには、湾曲内縁部がストッパ部から離間してストッパ部の拘束を解除するように構成されていてもよい。
【００１４】
この構成では、ハンドル部材の回動に応じてスライド部の湾曲内縁部がストッパ部に対して回動することとなるが、回動可能範囲内のいずれの位置でもスライド部がロック位置になるときに湾曲内縁部がストッパ部における中心軸方向の一方側の面と対向するように入り込むため、回動可能範囲内のいずれの位置でもスライド部がロック位置になるときに可動片を良好にロックすることができる。また、回動可能範囲内のいずれの位置でもスライド部がロック解除位置になるときに、湾曲内縁部がストッパ部から離間するため、可動片のロックを適切に解除することができる。従って、スライド部が回動可能範囲内においてどの回動位置になっても可動片のロック及びロック解除を良好に行うことができ、ハンドル部材の回動位置によって制限されずに操作性良く回動角度を変更できるようになる。
【００１５】
また、本発明は、ハンドル部材が、回動ベース部に回動可能に保持されると共にスライド部に対して中心軸方向一方側に配置される基部を備えていてもよい。そして、回動ベース部が、固定部に回動可能に保持されると共に、基部に対して中心軸方向一方側に配置される一方側把持部材と、スライド部の中心軸方向他方側を支持するガイド壁を備え、基部の中心軸方向他方側を覆う構成で一方側把持部材に固定される他方側把持部材とを備え、スライド部が、基部とガイド壁とによって中心軸方向の両側が挟まれた拘束状態で、当該中心軸と直交する方向に沿ってスライドする構成をなしていていもよい。
【００１６】
この構成によれば、スライド部の移動方向を基部とガイド壁とによって確実に定めることができるため、スライド部が中心軸の方向にブレ難くなり、スライド部を規定方向に安定的に案内できるようになる。
【００１７】
また、本発明は、一方側把持部材と他方側把持部材とが、基部を跨いで配置されるボスによって互いに固定され、一方側把持部材及び他方側把持部材のいずれか一方に、他方側に突出する係止片が形成され、一方側把持部材及び他方側把持部材のいずれか他方に、係止片の係止を受ける被係止部が設けられていてもよい。そして、係止片が被係止部に係止した状態で、一方側把持部材と他方側把持部材とが、ボスによって連結されていてもよい。
【００１８】
この構成によれば、回動ベース部内においてスペース的にボスを配置し難い部分を係止片と被係止部とによって連結することができる。従って、ボスの配置スペースを部分的に省略してスペース削減効果を生じさせつつ、一方側把持部材と他方側把持部材を安定的に連結することができる。
【００１９】
また、本発明に係る上記いずれかの遊技機用発射ハンドルを備えた遊技機とすることで、上述した効果と同様の効果を奏する遊技機を実現できる。
【図面の簡単な説明】
【００２０】
【図１】図１は、第１実施形態に係る遊技機用発射ハンドルを備えた遊技機を例示する正面図である。
【図２】図２（Ａ）は、第１実施形態に係る遊技機用発射ハンドルを概略的に例示する斜視図であり、図２（Ｂ）は、図２（Ａ）の状態から回動ベース部の回動角度を変更した状態を例示する斜視図である。
【図３】図３（Ａ）は、第１実施形態に係る遊技機用発射ハンドルを概略的に例示する正面図であり、図３（Ｂ）は、図３（Ａ）の状態から回動ベース部の回動角度を変更した状態を例示する正面図である。
【図４】図４（Ａ）は、第１実施形態に係る遊技機用発射ハンドルを概略的に例示する側面図であり、図４（Ｂ）は、図４（Ａ）の状態から回動ベース部の回動角度を変更した状態を例示する側面図である。
【図５】図５は、図３（Ａ）のＡ−Ａ断面概略図である。
【図６】図６は、図５の状態から回動ベース部の回動角度を変更した状態を例示する断面概略図である。
【図７】図７は、図３（Ａ）のＢ−Ｂ断面概略図である。
【図８】図８は、図３（Ａ）のＣ−Ｃ断面概略図である。
【図９】図９は、図３（Ａ）のＤ−Ｄ断面概略図である。
【図１０】図１０は、第１実施形態に係る遊技機用発射ハンドルの分解斜視図である。
【図１１】図１１は、第１実施形態に係る遊技機用発射ハンドルを図１０とは異なる方向から見た分解斜視図である。
【図１２】図１２は、図１０に示す遊技機用発射ハンドルの部品の一部を更に分解して示す分解斜視図である。
【図１３】図１３は、分解部品の一部を図１０とは異ならせた分解斜視図である。
【図１４】図１４は、第１実施形態に係る遊技機用発射ハンドルについて、一部部品（ハンドル部材）を省略して示す平面図である。
【図１５】図１５は、第１実施形態に係る遊技機用発射ハンドルについて、一部部品（他方側把持部材）を省略して示す正面図である。
【図１６】図１６は、図１５の状態からロック部をロック解除位置に変位させた状態を例示する正面図である。
【図１７】図１７は、図１５の状態からハンドル部材を回動した状態を例示する正面図である。
【図１８】図１８（Ａ）は、第１実施形態に係る遊技機用発射ハンドルについて、一部部品（他方側把持部材）を省略して示す正面図であり、図１８（Ｂ）は、その斜視図である。
【図１９】図１９（Ａ）は、図１８（Ａ）から更に一部部品（ロック部材）を省略した様子を示す正面図であり、図１９（Ｂ）は、その斜視図である。
【図２０】図２０（Ａ）は、図１８（Ａ）の状態からハンドル部材を回動させた様子を示す正面図であり、図２０（Ｂ）は、その斜視図である。
【図２１】図２１（Ａ）は、図２０（Ａ）から更に一部部品（ロック部材）を省略した様子を示す正面図であり、図２０（Ｂ）は、その斜視図である。
【図２２】図２２は、第１実施形態に係る遊技機用発射ハンドルについて、図４（Ａ）から一部を省略して内部構成を説明する説明図である。
【図２３】図２３（Ａ）は、ロック機構によるロックが解除されているときの角度変更中の角度調節動作を説明する説明図であり、図２３（Ｂ）は、角度変更後の角度調節機構の様子を説明する説明図である。
【発明を実施するための形態】
【００２１】
[第１実施形態]
以下、本発明に係る遊技機用発射ハンドルを具現化した第１実施形態について、図面を参照して説明する。なお、図１は、第１実施形態に係る遊技機用発射ハンドルを備えた遊技機を例示する正面図であり、まず、図１を参照して遊技機１の構成を概説する。
【００２２】
（遊技機の構成）
図１に示す遊技機１は、いわゆるパチンコ機として構成されており、遊技者側に配される前面枠２に形成された窓部に透明板（ガラス板等）が配置され、遊技者が、透明板３を介して後方の遊技領域を視認できるように構成されている。また、透明板３の後方（奥側）には、遊技盤５が配置され、この遊技盤上にガイドレール等によって区画された遊技領域５ａ（遊技球が流下可能な領域）が形成されている。更に、透明板３の下方側には、遊技球を受ける遊技球受皿７が形成されており、この遊技球受皿７の右方において遊技機１の外壁部２ａから突出する構成で遊技機用発射ハンドル１０が設けられている。
【００２３】
なお、本実施形態では、遊技盤５の盤面と直交する方向が前後方向であり、遊技者側を前方側、遊技機奥側を後方側としている。また、遊技球の流下方向（図１の例では鉛直方向）を上下方向としている。更に、これら前後方向及び上下方向と直交する方向を左右方向（横方向）としている。
【００２４】
（遊技機用発射ハンドルの構成）
次に、第１実施形態に係る遊技機用発射ハンドル１０について説明する。
まず、遊技機用発射ハンドル１０の特徴の１つである角度調節構造について説明する。図２、図５に示すように、遊技機用発射ハンドル１０は、遊技機１（図１）に固定されると共に所定方向（図１の例では前後方向）に突出して配置される固定部１１を備えており、この固定部１１には、固定部１１の突出方向と交差する方向の回動軸Ｇ１（図５、図６、図８）を中心として回動可能となるように回動ベース部１２が取り付けられている。これにより、固定部１１に対して回動ベース部１２を縦方向に回動させることができ、図２（Ａ）（Ｂ）、図３（Ａ）（Ｂ）、図４（Ａ）（Ｂ）に示すように、回動ベース部１２の向きを変更できるようになっている。
【００２５】
また、この回動ベース部１２には、回動軸Ｇ１と交差する方向に沿った中心軸Ｇ２（図５、図６、図８）を中心として回動可能となるようにハンドル部材１３が取り付けられている。更に、固定部１１の突出方向（図１では前後方向）に対する回動ベース部１２の回動角度を調整する角度調節機構１４（図２２等）と、外部操作に応じて角度調節機構１４のロックを解除し、外部操作の解除に応じて角度調節機構１４をロックするロック機構１５（図１５等）とが設けられている。以下、各部品の構成について詳述する。
【００２６】
まず、固定部１１について説明する。
図２に示すように、固定部１１は、遊技機１（図１）の所定の外壁部２ａ（図１の例では遊技球受皿７の外壁部）から前方側に突出した構成で配置されるものである（図１３も参照）。この固定部１１は、ハンドル取付部２ｂと嵌合する構成で遊技機１に取り付けられる保持部材１１ｂによって構成されており、遊技機１の外壁部２ａに設けられたハンドル取付部２ｂと嵌合する構成で遊技機１の本体部に取り付けられている。
【００２７】
保持部材１１ｂは、図４、図５のように前後方向に延びる長手状のケース体として構成されており、図１２に示すように、横方向一方側（右側）に配置される第１ケース体２０ａと横方向他方側（左側）に配置される第２ケース体２０ｂとがねじ等の締結部材１０３ａ，１０３ｂ，１０３ｃ，１０３ｄによって互いに組み付けられた構成をなしている。この保持部材１１ｂは、主として、図４、図５に示すように後述する回動ベース部１３を保持する前側の保持部２９ａと、この保持部２９ａの後方に配置される箱状の収容部２９ｂと、この収容部２９ｂの後端壁から後方に突出する二本のボス２９ｃとによって構成されている。そして、収容部２９ｂがハンドル取付部２ｂと嵌合し、ボス２９ｃが、ハンドル取付部２ｂの後端壁に形成された孔部２ｃ（図１３）内に挿入される構成で遊技機１に取り付けられている。更に、保持部材１１ｂにおいて収容部２９ｂの内部にはフォトセンサ２４が設けられている。このフォトセンサ２４は、ねじ等の締結部材１０４ａ，１０４ｂによって保持部材１１ｂの内部に固定されており、後述する回動ベース部１２の回動に応じて変位する被検出部８１の変位量を検出可能とされている（図５も参照）。
【００２８】
また、図８、図１２に示すように、保持部材１１ｂの前端部側に設けられた保持部２９ａ（図４、図５）には、回動ベース部１２を回動可能に支持する一対の円筒部２３ａ，２３ｂが形成されている。この円筒部２３ａ，２３ｂは、それぞれ保持部材１１ｂの各側壁を横方向に貫通する構成で設けられており、各円筒部２３ａ，２３ｂの内部には円筒状の軸受部２２ａ，２２ｂがそれぞれ嵌合している。そして、これら軸受部２２ａ，２２ｂにより、回動ベース部１２の後方側収容部材８０に形成された左右一対の突起部８２ａ，８２ｂが回動可能に支持されるようになっている（図２２も参照）。
【００２９】
また、軸受部２２ａ，２２ｂは、図８、図１２に示すように、回動ベース部１２の後方側把持部材１２ａに形成された一対の孔部９１ａ，９１ｂ内に挿入された状態で保持部材１１ｂに固定されている。このように構成されているため、軸受部２２ａ，２２ｂに支持される後方側収容部材８０が軸受部２２ａ，２２ｂの中心（即ち、回動軸Ｇ１）の周りを回動することになり、軸受部２２ａ，２２ｂと嵌合する孔部９１ａ，９１ｂを備えた後方側把持部材１２ａも、これら軸受部２２ａ，２２ｂの中心（即ち、回動軸Ｇ１）の周りを回動することになる。従って、後方側収容部材８０と後方側把持部材１２ａとが一体的に組み付けられてなる回動ベース部１２が、回動軸Ｇ１を中心として良好に回動するようになる。
【００３０】
また、図１２、図２２に示すように、保持部材１１ｂの前端部側には、後方側に突出する複数の凸部を備えた被係合部２１ａ，２１ｂが左右で対をなして設けられている。一方側の被係合部２１ａは、保持部材１１ｂの一方側の側壁部に形成された開口部２７ａの内壁部において、回動軸Ｇ１を中心とする周方向に沿って複数の凸部２５が並んでおり、各凸部２５は、いずれも回動軸Ｇ１に向かうように突出しており且つ回動軸Ｇ１の径方向中心側につれて細くなる先細り状の山形形態をなしている。また、他方側の被係合部２１ｂも同様であり、保持部材１１ｂの他方側の側壁部に形成された開口部２７ｂの内壁部において、回動軸Ｇ１を中心とする周方向に沿って複数の凸部２６が並んでおり、各凸部２６は、後方側につれて細くなる先細り状の山形形態をなしている。
【００３１】
次に回動ベース部１２について説明する。
図２〜図４に示す回動ベース部１２は、固定部１１と共に「ベース部材」の一例として機能している。この「ベース部材」は、遊技機１の遊技機本体（遊技機１における遊技機用発射ハンドル１０を除いた本体部分）に直接又は他部材を介して間接的に固定されるものであり（本実施形態では、遊技機１の本体部に設けられたハンドル取付部２ｂに直接固定）、且つ後述するハンドル部材１３を回動可能に保持するものである。図５、図１２に示すように、回動ベース部１２は、主として、後方側把持部材１２ａと、この後方側把持部材１２ａの後方側に連結される上述の後方側収容部材８０とを備え、更に、図５、図１０のように、後方側把持部材１２ａの前方側に連結される前方側把持部材１２ｂと、後方側把持部材１２ａと後方側収容部材８０とによって保持される可動片３０を、この可動片３０を付勢するばね部材３９（図５、図１２等）とを備えている。
【００３２】
後方側把持部材１２ａは、「一方側把持部材」の一例に相当するものであり、図１２に示すように、中心軸Ｇ２（図５等）の方向に見て外形が略円形状に構成されており、且つ中央部が前方側に膨出した略皿状形態をなしている。この後方側把持部材１２ａは、図８に示すように、固定部１１に回動可能に保持されると共に、後述するハンドル部材１３の基部６１に対して中心軸Ｇ２の方向の一方側に配置されている。そして、この後方側把持部材１２ａの後方側の面には、上述の後方側収容部材８０がねじ等の締結部材１０６ａ，１０６ｂによって固定されている。この後方側収容部材８０は、前方側が開放した構成をなしており、図５に示すように、後方側の壁部８０ａには、可変抵抗器１１０に設けられた軸部１１１を挿し通すための孔部８３が形成されている。
【００３３】
可変抵抗器１１０は、公知の遊技機用発射ハンドルに用いられる公知技術の可変抵抗器として機能しており、図５、図１２に示すように、前端側に軸部１１１が形成され、この軸部１１１の回動位置に応じた信号が後端側の配線連結部１１２を介して出力されるようになっている。具体的には、当該可変抵抗器１１０において軸部１１１を除く本体部分が孔部８３に挿し通された状態でナット１１４が締め付けられており、この構造によって本体部分が後方側収容部材８０に固定されている。一方、軸部１１１は、可変抵抗器１１０の本体部分（軸部１１１を除く部分）に対して相対的に回動可能に構成され、ハンドル部材１３の後方軸部７１ａ（後述）に固定されている。従って、ハンドル部材１３の回動に応じて後方軸部７１ａと軸部１１１とが一体的に回動することとなり、この軸部１１１の回動角度が本体部分で検出されることとなる。なお、可変抵抗器１１０での検出量は、図示しない外部装置に出力されるようになっている。
【００３４】
また、図５〜図９に示すように、後方側収容部材８０の内部には、ばね部材３９と可動片３０の一部が収容されている。可動片３０は、後方側収容部材８０の内壁部に沿って摺動する摺動部３７（図５等）と、保持部材１１ｂ（固定部１１）に形成された被係合部２１ａ，２１ｂと係合可能な一対の係合部３１ａ，３１ｂと、係合部３１ａ，３１ｂ側から中心軸Ｇ２に沿って延出する延出部３３と、延出部３３から中心軸Ｇ２と交差する方向に折れ曲がるストッパ部３５とを備えている。
【００３５】
図５、図１０、図１１に示すように、後方側把持部材１２ａに固定される前方側把持部材１２ｂ（前方側把持部材１２ｂは、「他方側把持部材」の一例に相当）には、後述するロック部材４０のスライド部４１の前方側（中心軸Ｇ２の方向の他方側）を支持するガイド壁５１と、このガイド壁５１の前方側をカバーする前方カバー５７とが設けられている。図１１等に示すように、ガイド壁５１は、円板状に構成されており、ねじ等の締結部材１０１ａ，１０１ｂ，１０１ｃによって前方カバー５７の内部に固定されている。
【００３６】
本実施形態では、後方側把持部材１２ａと前方側把持部材１２ｂとが、２つのボス５４，５５によって連結されている。図１１に示すように、ボス５４は、後方側把持部材１２ａから前方側に突出した第１ボス５４ａと、前方側把持部材１２ｂから後方側に突出した第２ボス５４ｂとが連結した構成をなしており、これらが連結してなるボス５４は、基部６１に形成された円弧状の長孔６７内を貫通する構成で基部６１を跨いで配置されている（図５も参照）。また、ボス５５は、後方側把持部材１２ａから前方側に突出した第１ボス５５ａと、前方側把持部材１２ｂから後方側に突出した第２ボス５５ｂとが連結した構成をなしており、これらが連結してなるボス５５は、基部６１に形成された円弧状の長孔６７内を貫通する構成で基部６１を跨いで配置されている（図９も参照）。更に、図１０、図１４に示すように、前方側把持部材１２ｂには、後方側に突出する短冊状の係止片５３ｂが形成されており、後方側に配置される後方側把持部材１２ａには、係止片５３ｂの係止を受ける被係止部５３ａが設けられている。また、図１１に示すように、係止片５３ｂは、ハンドル部材１３の基部６１に形成された円弧状の長孔７６内を貫通すると共に、基部６１を前後に跨いで配置され、後方側の被係止部５３ａに係止されている。そして、係止片５３ｂが被係止部５３ａに係止した状態で、後方側把持部材１２ａと前方側把持部材１２ｂとが、ボス５４，５５によって連結されており、これにより、後方側把持部材１２ａと前方側把持部材１２ｂとが少なくとも３点以上で固定されるようになっている。また、係止片５３ｂは、短冊状（板状）に形成されているので、径方向を厚さ方向とするように薄く構成されて径方向に対して小スペースとなっており、円弧状の長孔７６の径方向の幅を小さくすることができる。
【００３７】
次に、ハンドル部材１３について説明する。
ハンドル部材１３は、図１０、図１１に示すように、中心軸Ｇ２の周囲に配置される円板状の基部６１と、基部６１の後方側に突出する後方軸部７１ａ（図１１）と、基部６１の前方側に突出する前方軸部７１ｂ（図１０）を備えており、基部６１の周縁部には中心軸Ｇ２を中心とする円筒状の露出部７０が形成されている。そして、図５のように、後方軸部７１ａの後端側の部分が上述の可変抵抗器１１０の軸部１１１に連結されており、これによりハンドル部材１３と軸部１１１とが一体的に回動するようになっている。ハンドル部材１３は、中心軸Ｇ２の方向に見て円形状の外縁部を備えた後方側把持部材１２ａの外側に環状の露出部７０が嵌まり込むようになっており、露出部７０が後方側把持部材１２ａの外縁部に沿って回動する構成をなしている。また、後方側把持部材１２ａの外縁部等によって中心軸Ｇ２に沿った一方側への移動が規制され、前方側把持部材１２ｂに設けられたガイド壁５１等によって中心軸Ｇ２に沿った他方側への移動が規制されており、これにより回動ベース部１２に対する軸方向（中心軸Ｇ２の方向）への相対移動が規制されている。また、図１８（Ａ）、図２０（Ａ）に示すように、回動ベース部１２に形成されたボス５４，５５が長孔６７内を当該長孔６７に沿って相対移動するようになっており（逆にいえばハンドル部材１３の長孔６７がボス５４，５５に案内されつつ相対移動するようになっており）、更に、係止片５３ｂが長孔７６内を当該長孔７６に沿って相対移動するようになっている（逆にいえばハンドル部材１３の長孔７６が係止片５３ｂに案内されつつ相対移動するようになっている）。このような構成により、回動ベース部１２に対するハンドル部材１３の径方向（中心軸Ｇ２と直交する半径方向）への移動が拘束され、ハンドル部材１３が回動ベース部１２に支持されつつ回動することとなる。
【００３８】
基部６１は、図５等に示すように、中心軸Ｇ２の方向において、ロック部材４０のスライド部４１の一方側（後方側）に配置されており、上述の後方軸部７１ａ及び前方軸部７１ｂを介して回動ベース部１２に回動可能に保持されている。図１０、図１１、図１５に示すように、この基部６１には、略円板状の底部６５と、この底部６５から前方側に突出するリブ状の第１壁部６３と、この第１壁部６３の外側において前方側に突出するリブ状の第２壁部６４と、第１壁部６３の外側において中心軸Ｇ２の周方向に沿って形成された長孔６７とが形成されている。また、露出部７０の外周部には中心軸Ｇ２の半径方向に突出する突出部７７ａ，７７ｂ，７７ｃが形成されている。なお、基部６１の具体的構成については後に詳述する。
【００３９】
次に、角度調節機構１４について説明する。
本実施形態では、図６に示すように、回動軸Ｇ１の方向（例えば横方向）と直交する所定方向（例えば前後方向）を基準方向としたとき、この基準方向からの中心軸Ｇ２の回動角度（即ち、基準方向に対する中心軸Ｇ２の傾斜角度）θを変更できるように構成されており、角度調節機構１４は、この回動角度θを予め設定された角度から所望の角度に維持するように機能している。なお、図６では、回動軸Ｇ１と中心軸Ｇ２との交点を通る前後方向の仮想的な軸を符号Ｇ３で示しており、角度調節機構１４は、中心軸Ｇ２と軸Ｇ３とのなす角度（中心軸Ｇ２の回動角度θ）を変更できるように構成されている。
【００４０】
角度調節機構１４は、図８、図２２に示すように、主として、中心軸Ｇ２に沿って移動可能に保持された可動片３０と、この可動片３０を保持する後方側収容部材８０（図８）と、可動片３０を前方側に付勢するばね部材３９と、保持部材１１ｂ（固定部１１）の被係合部２１ａ，２１ｂ（図１２，図２２）とによって構成されている。
【００４１】
この角度調節機構１４では、図８に示すように、可動片３０が後方側収容部材８０に収容されたばね部材３９によって前方側に付勢されると共に、保持部材１１ｂ（固定部１１）に形成された被係合部２１ａ，２１ｂと係合部３１ａ，３１ｂとの係合によって前方側への移動が拘束されており、係合部３１ａ，３１ｂが被係合部２１ａ，２１ｂ側に絶えず付勢されるようになっている（図１２、図２２参照：なお、図２２では、係合部３１ａと被係合部２１ａの関係のみを図示）。被係合部２１ａは、図２２のように凸部２５が回動軸Ｇ１の周方向に沿って縦方向に並んだ構成をなしており、係合部３１ａの突起がいずれかの凸部間に嵌り込むようになっている。そして、係合部３１ａの嵌り込む凸部間の位置を変更するように係合部３１ａを被係合部２１ａに対して上方側又は下方側に相対移動させることにより、中心軸Ｇ２の回動角度θ（図６）を変更できるようになっている。
【００４２】
可動片３０は、図２２のように係合部３１ａと被係合部２１ａとが係合する位置（係合位置）と、図２３（Ａ）のように、係合部３１ａと被係合部２１ａとの係合が解除される位置（退避位置）とで変位するようになっている。角度調節機構１４では、可動片３０が係合位置にあるとき（可動片３０が係合位置から後方側に退避不能なとき）には、被係合部２１ａに対する係合部３１ａの上下方向の移動が拘束されるため、保持部材１１ｂ（固定部１１）に対する回動ベース部１２の回動角度が変更不能となる。一方、可動片３０が退避位置にあるときには、被係合部２１ａに対する係合部３１ａの上下方向の移動が許容されるため、保持部材１１ｂ（固定部１１）に対する回動ベース部１２の回動角度が変更可能となる。
【００４３】
この角度調節機構１４では、後述するロック部材４０によるロックが解除されているときには、係合部３１ａが後退可能となるため、このときには回動軸Ｇ１を中心として回動ベース部１２を強制的に回動させることにより、図２３（Ａ）のように突起状の係合部３１ａが凸部２５及び自身の傾斜面によって案内されて後退し、凸部２５を乗り越えるように変位可能となる。そして、図２３（Ｂ）のように、係合部３１ａは、凸部２５を乗り越えた後の凸部間の谷間に入り込んで係止される。このとき、図２２のときに係合部３１ａが嵌り込む凸部間の位置と図２３（Ｂ）のときに係合部３１ａが嵌り込む凸部間の位置とが変更されるため、回動ベース部１２の回動角度が変化する。
【００４４】
次に、ロック機構１５について説明する。
ロック機構１５は、「ロック手段」の一例に相当するものであり、図１５に示すように、ロック部材４０と、このロック部材４０を案内するガイド壁７３ａ，７３ｂと、このロック部材４０を付勢する付勢部材４９とを備えた構成をなしている。なお、本実施形態では、ロック機構１５がハンドル部材１３に設けられた例を示しており、ロック部材４０及び付勢部材４９のいずれも、ハンドル部材１３に保持されている。
【００４５】
図１１、図１５、図１８に示すように、ロック部材４０は、ハンドル部材１３の円盤状に構成された基部６１の前面側に支持されており、この基部６１上において基部６１から前方側に立ち上がった一対のガイド壁７３ａ，７３ｂによって所定方向に案内されるようになっている。具体的には、基部６１において第１壁部６３及び第２壁部６４がリブ状に設けられ且つこれら第１壁部６３及び第２壁部６４の底部６５からの高さがほぼ同一高さに揃えられており、ロック部材４０は、これら第１壁部６３及び第２壁部６４の端部（中心軸Ｇ２の方向の端部）に支持されつつ中心軸Ｇ２と交差する平面方向に沿った所定の向きに移動可能とされている。なお、図１５の例では、ロック部材４０のスライドの向きが中心軸Ｇ２の半径方向に沿った向きとされており、この半径方向に沿った向きでスライド可能となるように一対のガイド壁７３ａ，７３ｂによってロック部材４０の案内方向が定められている。
【００４６】
ロック機構１５は、中心軸Ｇ２と直交する平面に沿って変位するスライド部４１と、外部操作に応じてスライド部４１を変位させる操作部４２とを備えている。スライド部４１は、「ロック部」の一例に相当しており、可動片３０の移動を拘束するロック位置（図１５）と、可動片３０の移動を許容するロック解除位置（図１６）とに変位するように機能している。本実施形態では、図５、図８に示すように、基部６１の前面部（第１壁部６３及び第２壁部６４における中心軸Ｇ２の方向の端部）とガイド壁５１とによってスライド部４１における中心軸Ｇ２の方向の両側が挟まれた拘束状態となっており、スライド部４１はこの拘束状態で中心軸Ｇ２と直交する方向に沿ってスライドするようになっている。
【００４７】
また、スライド部４１は、図５等に示すように、中心軸Ｇ２と直交する平面に沿った平坦状に構成されており、図１５に示すように、中央部付近を含んだ領域を開口空間とする切欠部４３が形成されている。この切欠部４３は、円形状の開口部として構成されており、中心軸Ｇ２を挟んで被押圧部４７側とは反対側に円弧状の湾曲内縁部４４が形成されている。
【００４８】
操作部４２は、図１５に示すように、ロック部材４０の一端部に形成された被押圧部４７（遊技者からの押圧操作を受ける部分）と、ロック部材４０を外側（中心軸Ｇ２から離れる側）に付勢する付勢部材４９とを備えている。被押圧部４７は、上述のスライド部４１と一体的に形成されており、ハンドル部材１３の露出部７０から突出する突出位置（図１５）と、この突出位置よりも突出量が小さくなる押下位置（図１６）とで変位するようになっている。このように被押圧部４７に対して外部からの押圧操作がなされ、被押圧部４７が押下位置に変位したときには、これと連動してスライド部４１（ロック部）がロック解除位置（図１６等）に変位する（図１６）。
【００４９】
ロック部材４０を付勢する付勢部材４９は、例えばねじりばねによって構成されており、一端部４９ａ側がハンドル部材１３の所定位置に固定或いは係止し、他端部４９ｂ側がロック部材４０の所定位置に固定或いは係止しており、常にロック部材４０を外側に付勢している。従って、被押圧部４７に対する押圧操作が解除されたときには、付勢部材４９の付勢作用によって図１５のように被押圧部４７が突出位置に復帰するようになっている。また、被押圧部４７に対する外部からの押圧操作が解除されているときには、被押圧部４７の突出位置への復帰と連動してスライド部４１が被押圧部４７側に変位し、湾曲内縁部４４が可動片３０に接近するようにロック位置（図１５等）に復帰する。
【００５０】
本実施形態では、切欠部４３内を延出部３３が挿し通された状態で可動片３０が配置されており、ロック機構１５は、図７、図１５のように、スライド部４１が、ロック位置において、ストッパ部３５における中心軸Ｇ２方向の一方側の面３５ａと対向するように入り込むことで、可動片３０の後方側（中心軸Ｇ２方向の一方側）への移動を拘束している。
【００５１】
また、本実施形態では、ハンドル部材１３が、規定された回動範囲で回動するようになっており、スライド部４１は、ハンドル部材１３の回動に応じて所定の回動可能範囲内で回動する構成をなしている。具体的には、ハンドル部材１３は、後述するコイルばね６９によって回動ベース部１２に対して反時計回りに回動する方向に付勢されており、ハンドル部材１３に対して回動操作がなされていない非操作時には、ハンドル部材１３が図１５に示す回動基準位置に維持されるようになっている。より詳しくは、ハンドル部材１３の回動操作に応じて上述のボス５４，５５が長孔６７内を相対的に変位するようになっており、一方のボス５５が長孔６７の一端部６７ａに当接することで、ハンドル部材１３がこれ以上反時計回りに回動できなくなる回動位置が回動基準位置となっている。
【００５２】
また、ハンドル部材１３は、上記回動基準位置から図１７に示す最大回動位置まで時計回りに回動可能とされている。本実施形態では、ハンドル部材１３の回動操作に応じて上述のボス５４，５５が長孔６７内を相対的に変位したときに、他方のボス５４が長孔６７の他端部６７ｂに当接することで、ハンドル部材１３がこれ以上時計回りに回動できなくなる回動位置が最大回動位置となっている。このように、ハンドル部材１３は、回動基準位置から最大回動位置までの回動範囲内で回動するようになっており、スライド部４１は、ハンドル部材１３が図１５に示す回動基準位置となっているときの位置（第１回動位置）から、ハンドル部材１３が図１７に示す最大回動位置のときの位置（第２回動位置）までを「所定の回動可能範囲」として回動するように構成されている。そして、スライド部４１がこのように回動ベース部１２に対して「所定の回動可能範囲」で回動するため、スライド部４１の一部である湾曲内縁部４４が回動ベース部１２に保持されるストッパ部３５に対して相対的に回動するようになっている。そして、スライド部４１は、上記「所定の回動可能範囲」内のいずれの位置においても、図１５、図１７のようにロック位置となったときに、湾曲内縁部４４がストッパ部３５側に近接して当該ストッパ部３５における後方側（中心軸Ｇ２方向の一方側）の面３５ａと対向し、当接するように入り込むようになっている。従って、上記「所定の回動可能範囲」内のいずれの位置においても、スライド部４１がロック位置になるときに可動片３０の後方側への移動が拘束されることになる。また、上述したように、係止片５３ｂが長孔７６内を当該長孔７６に沿って相対移動するようになっており（図１８、図２０参照）、この長孔７６の端部によって係止片５３ｂの移動範囲を規制することでも、ハンドル部材１３の回動範囲を規制しており、この構造も、スライド部４１の「所定の回動可能範囲」を規定するように機能している。
【００５３】
また、スライド部４１は、上記「所定の回動可能範囲」内のいずれの位置においても、図１６、或いは図１７の一点鎖線４３’のようにロック解除位置となるときには、湾曲内縁部４４がストッパ部３５から半径方向に退避して当該ストッパ部３５から離間し、ストッパ部３５の拘束を解除するようになっている。従って、上記「所定の回動可能範囲」内のいずれの位置においても、スライド部４１がロック解除位置になるときにはスライド部４１によって可動片３０の後方側への移動が拘束されず、ばね部材３９の付勢に抗して可動片３０を後方側へ移動させることができるようになる。なお、図１７の一点鎖線４３’は、ハンドル部材１３が最大回動範囲にあるときに、スライド部４１がロック解除位置となっているときの切欠部４３の位置を概念的に示している。
【００５４】
次に、ハンドル部材１３の把持を検出可能とする導電構造について説明する。
本実施形態では、図１８、図１９に示すように、ハンドル部材１３に設けられた露出部７０が導電性を備えた導電部６８として構成されている。具体的には、ハンドル部材１３において基部６１の周縁部に沿って円筒状の外壁部（円筒外壁部７５）が形成され、この円筒外壁部７５から中心軸Ｇ２の半径方向に突出する構成で突出部７７ａ，７７ｂ，７７ｃが形成され、この円筒外壁部７５と突出部７７ａ，７７ｂ，７７ｃが露出部７０として構成されている。そして、これら円筒外壁部７５及び突出部７７ａ，７７ｂ，７７ｃの外表面に例えばメッキ処理が施されており、円筒外壁部７５及び突出部７７ａ，７７ｂ，７７ｃが互いに電気的に導通可能とされて導電部６８として機能している。
【００５５】
また、図１８、図１９のように、基部６１には、略円板状の底部６５と、この底部６５から前方側に突出し中心軸Ｇ２回りの周方向に沿ったリブ状の第１壁部６３と、この第１壁部６３の外側において前方側に突出し中心軸Ｇ２回りの周方向に沿ったリブ状の第２壁部６４と、第１壁部６３の外側において中心軸Ｇ２の周方向に沿って形成された長孔６７とが形成されている。
【００５６】
そして、第１壁部６３の内周壁及び外周壁において導電部６８から連続するメッキ処理が施されており、第２壁部６４の内周面及び外周面にも導電部６８から連続するメッキ処理が施されている。更に、底部６５にも導電部６８から連続するメッキ処理が施されており、導電部６８、第１壁部６３の内周壁及び外周壁、第２壁部６４の内周面及び外周面にも導電部６８、及び底部６５が電気的に導通している。
【００５７】
ハンドル部材１３の基部６１では、上記第１壁部６３、第２壁部６４、及び底部６５によって、中心軸Ｇ２回りの周方向に沿って円弧状に配される溝状の収容部６２が構成されており、この収容部６２の内壁面全体にメッキ処理が施されている。そして、この溝状の収容部６２内おいて、中心軸Ｇ２回りの周方向に沿って引張ばねとして構成されるコイルバネ６９が配置されている。コイルバネ６９は、導電性の金属材料によって構成されており、少なくとも当該コイルバネ６９と常時接触する部分（底部６５や第１壁部６３の内周部）と電気的に導通するようになっている。
【００５８】
更に、収容部６２の周方向一端側には、コイルバネ６９の一端側をハンドル部材１３に連結させる導電性の連結部６６が形成されている。この連結部６６は、底部６５から突出し折れ曲がる構成で当該底部６５と一体的に構成されており、外表面には上記底部６５や導電部６８と連続するメッキ処理が施されている。従って、コイルバネ６９は、連結部６６を介して導電部６８と導通している。
【００５９】
一方、上述の回動ベース部１２の後方側把持部材１２ａには、公知の静電容量式のタッチセンサ７８が固定されており、このタッチセンサ７８に設けられた端子には、導電性の金属材料からなる板金部材７９が固定されている。板金部材７９は、後方側把持部材１２ａにおいて、中心軸Ｇ２の周方向に沿って配置されており、一端側の端部がタッチセンサ７８の端子に接続され、他端側の端部７９ｂが底部６５に形成された長孔６５ｂを介して前方側に突出している。
【００６０】
長孔６５ｂは、底部６５において、中心軸Ｇ２回りの周方向に沿って形成されており、板金部材７９の他端側の端部７９ｂはこの長孔６５ｂを介して底部６５の前後に跨るように配置されている。このような構成により導電部６８とタッチセンサ７８とが導通しているため、導電部６８に対して遊技者が接触したときに、この接触に応じた静電容量の変化をタッチセンサ７８によって検出することができるようになっている。
【００６１】
また、図１９、図２１のように、端部７９ｂは、ハンドル部材１３の回動に応じて長孔６５ｂ内を相対的に移動するようになっている。また、コイルバネ６９は、中心軸Ｇ２回りの周方向に沿って配置され一端側が回動ベース部１２に固定され、他端側がハンドル部材１３の連結部６６に連結されている。このように構成されているため、ハンドル部材１３を上記回動基準位置に復帰させる向きに絶えず付勢することができ、ハンドル部材１３が回動基準位置にあるときには、この回動基準位置で安定的に保持することができ、図２１のように回動基準位置から回動したときには、当該回動操作が解除されたときにハンドル部材１３を回動基準位置に戻すことができる。
【００６２】
また、本実施形態では、コイルバネ６９が、引張状態で両端部がそれぞれ連結部６６とタッチセンサ７８側の導通部材（板金部材７９）とに連結されると共に、第１壁部６３と第２壁部６４とに挟まれた状態で中心軸Ｇ２の周方向に沿って配置され、少なくとも第１壁部６３の内壁部との接触状態が維持されている。更に、図１９（Ｂ）、図２１（Ｂ）のように、収容部６２において、中心軸Ｇ２方向の一方側に開口部６２ａが形成されており、図１８、図２０のように、開口部６２ａに対して前方側（中心軸Ｇ２方向一方側）に、コイルバネ６９を少なくとも部分的に覆うように開口部６２ａを閉塞する蓋部材（ロック部材４０）が設けられている。そして、固定部１１に対してハンドル部材１３が回動する際に、収容部６２内に配置されるコイルバネ６９が、収容部６２の底部６５及びロック部材４０（蓋部材）に接触しつつ変位するようになっている。
【００６３】
また、コイルバネ６９のようにハンドル部材１３を付勢する部材を中心軸Ｇ２の周方向に沿って配置することで、ハンドル部材１３ひいては回動ベース部１２における中央領域を有効に利用することが可能となり、本実施形態においては、上述のように角度調節機構１４を配置して、回動ベース部１２の回動角度を変更可能とすることができる。また、角度調節機構１４に代えて電飾基板（発光基板）などを配置することもでき、このようにすると、ハンドル前面側において、中央部分においても効率よく発光することができる。
【００６４】
（第１実施形態の主な効果）
本実施形態では、固定部１１に対する回動ベース部１２の回動角度（傾斜角度）θを調節する角度調節機構１４に加え、ロック機構１５（ロック手段）が設けられているので、ハンドル部材１３の回動中心軸（中心軸Ｇ２）の向きを変更可能な構成を実現でき、更に、ロック機構１５によりロック解除を行わない限り回動ベース部１２の回動角度θを変更することができなくなるため、位置決め時に中心軸Ｇ２の向きを安定的に維持することができる。
特に、角度調節機構１４は、固定部１１側に被係合部２１ａ，２１ｂが形成され、回動ベース部１２側に、中心軸Ｇ２に沿って変位する可動片３０が設けられており、可動片３０が係合位置にあるときには可動片３０と被係合部２１ａ，２１ｂとの係合状態が維持されるため、固定部１１に対する回動ベース部１２の相対移動が許容されず、固定部１１に対する回動ベース部１２の回動角度θが固定されるようになっている。一方、可動片３０が退避位置に変位することにより可動片３０と被係合部２１ａ，２１ｂとの係合状態が解除されるため、固定部１１に対して回動ベース部１２の相対移動が許容され、このときに固定部１１に対する回動ベース部１２の回動角度θが変更可能となる。この構成によれば、可動片３０を動作させる簡易な構成によって回動ベース部１２の固定状態と固定解除状態とを切り替えることができる。
そして、ロック機構１５は、ロック位置とロック解除位置とで変位可能なロック部（スライド部４１）を備え、このロック部を操作部４２によって操作できるようになっており、ロック部（スライド部４１）がロック位置にあるときには、可動片３０の係合位置から退避位置への移動を拘束して回動ベース部１２の回動角度θを変更困難とし、ロック解除位置にあるときには、可動片３０の移動を許容している。従って、操作部４２によって操作されるロック部（スライド部４１）の位置によって可動片３０の移動拘束状態と移動許容状態とを簡単に切り替えることができ、遊技者による外部操作によって可動片３０を所望の位置に切り替え得る構成、ひいては、遊技者による外部操作によって回動ベース部１２を固定状態と固定解除状態とに任意に切り替え得る構成を簡易に実現できる。
【００６５】
また、本実施形態では、ロック機構１５がハンドル部材１３に設けられている。このように遊技者にとって見やすく操作しやすいハンドル部材１３にロック機構１５を配置することで、回動ベース部１２の回動角度の変更を操作性良く容易に且つ迅速に行うことができる。
【００６６】
また、本実施形態では、可動片３０において、被係合部２１ａ，２１ｂと係合可能な係合部３１ａ，３１ｂと、係合部側から中心軸Ｇ２に沿って延出する延出部３３と、延出部３３から折れ曲がり、ロック部（スライド部４１）によって可動片３０の移動を規制するためのストッパ部３５とが設けられ、係合部３１ａ，３１ｂが、固定部１１の被係合部２１ａ，２１ｂに対して回動軸Ｇ１の径方向一方側（即ち、回動軸Ｇ１に近い中心側（内側））に配されている。
そして、ロック部が、中心軸Ｇ２と直交する平面に沿って変位するスライド部４１として構成され、このスライド部４１は、ロック位置において、ストッパ部３５における中心軸Ｇ２方向の一方側の面と対向するように入り込むことで、可動片３０の中心軸Ｇ２方向一方側への移動を拘束するように構成されている。
【００６７】
この構成によれば、外部操作に応じてロック部をロック位置とロック解除位置とに容易に切り替えることができ、且つロック位置において可動片３０の変位を確実に拘束し得る構成を簡易に実現できる。
【００６８】
また、本実施形態では、スライド部４１が、ハンドル部材１３の回動に応じて所定の回動可能範囲内で回動する構成をなし、且つ円弧状に形成された湾曲内縁部４４を有する切欠部４３を備えている。そして、可動片３０が、切欠部４３内を挿し通された状態で配置され、スライド部４１は、湾曲内縁部４４がストッパ部３５に対して相対的に中心軸Ｇ２周りに回動し、且つ回動可能範囲内でロック位置となったときに、湾曲内縁部４４がストッパ部３５側に近接して当該ストッパ部３５における中心軸Ｇ２方向の一方側の面と対向するように入り込み、回動可能範囲内でロック解除位置となったときには、湾曲内縁部４４がストッパ部３５から離間してストッパ部３５の拘束を解除するように構成されている。
【００６９】
この構成では、ハンドル部材１３の回動に応じてスライド部４１の湾曲内縁部４４がストッパ部３５に対して回動することとなるが、回動可能範囲内のいずれの位置でもスライド部４１がロック位置になるときに湾曲内縁部４４がストッパ部３５における中心軸Ｇ２方向の一方側の面と対向するように入り込むため、回動可能範囲内のいずれの位置でもスライド部４１がロック位置になるときに可動片３０を良好にロックすることができる。また、回動可能範囲内のいずれの位置でもスライド部４１がロック解除位置になるときに、湾曲内縁部４４がストッパ部３５から離間するため、可動片３０のロックを適切に解除することができる。従って、スライド部４１が回動可能範囲内においてどの回動位置になっても可動片３０のロック及びロック解除を良好に行うことができ、ハンドル部材１３の回動位置によって制限されずに操作性良く回動角度を変更できるようになる。
【００７０】
また、本実施形態では、ハンドル部材１３が、回動ベース部１２に回動可能に保持されると共にスライド部４１に対して中心軸Ｇ２方向一方側に配置される基部６１を備えている。そして、回動ベース部１２が、固定部１１に回動可能に保持されると共に、基部６１に対して中心軸Ｇ２方向一方側に配置される後方側把持部材１２ａと、スライド部４１の中心軸Ｇ２方向他方側を支持するガイド壁５１を備え、基部６１の中心軸Ｇ２方向他方側を覆う構成で後方側把持部材１２ａに固定される前方側把持部材１２ｂとを備え、スライド部４１が、基部６１とガイド壁５１とによって中心軸Ｇ２方向の両側が挟まれた拘束状態で、当該中心軸Ｇ２と直交する方向に沿ってスライドする構成をなしている。
【００７１】
この構成によれば、スライド部４１の移動方向を基部６１とガイド壁５１とによって確実に定めることができるため、スライド部４１が中心軸Ｇ２の方向にブレ難くなり、スライド部４１を規定方向に安定的に案内できるようになる。
【００７２】
また、本実施形態では、後方側把持部材１２ａと前方側把持部材１２ｂとが、基部６１を跨いで配置されるボス５４、５５によって互いに固定され、後方側把持部材１２ａ及び前方側把持部材１２ｂの一方に、他方側に突出する係止片５３ｂが形成され、後方側把持部材１２ａ及び前方側把持部材１２ｂの他方に、係止片５３ｂの係止を受ける被係止部５３ａが設けられている。そして、係止片５３ｂが被係止部５３ａに係止した状態で、後方側把持部材１２ａと前方側把持部材１２ｂとが、ボス５４、５５によって連結されている。
【００７３】
この構成によれば、回動ベース部１２内においてスペース的にボス５４、５５を配置し難い部分を係止片５３ｂと被係止部５３ａとによって連結することができる。従って、ボス５４、５５の配置スペースを部分的に省略してスペース削減効果を生じさせつつ、後方側把持部材１２ａと前方側把持部材１２ｂを安定的に連結することができる。
【００７４】
また、本実施形態では、ハンドル部材１３において、中心軸Ｇ２の周方向に沿って円弧状に形成された溝状の収容部６２が設けられており、この収容部６２の周方向一端側には、コイルバネ６９（付勢部材）の一端側を連結させる導電性の連結部６６が形成されている。更に、収容部６２の底部６５において連結部６６から離れた位置には、中心軸Ｇ２の周方向に沿って延びる長孔６５ｂが形成されている。そして、収容部６２に収容されるコイルバネ６９は、連結部６６に連結される側とは反対側が、長孔６５ｂを介して配置されたタッチセンサ７８側の導通部材（板金部材７９）と導通している。
【００７５】
この構成では、ハンドル部材１３を付勢するコイルバネ６９が周方向に延びる溝状の収容部６２に収容された状態で連結部６６側とタッチセンサ７８側に接続されているため、コイルバネ６９が連結部６６だけでなく収容部６２内の内壁部に広範にわたって常時接触することとなり、コイルバネ６９がハンドル部材１３に接触する接触面積を大きくすることができる。従って、連結部６６等に強い負荷が加わることを低減することができ、強い負荷に起因する不具合（連結部６６の劣化や損傷、或いはこれら損傷等に起因する導通不良等）を効果的に抑制することができる。特に、連結部６６の劣化や損傷に起因するタッチセンサ７８の接触不良などを効果的に抑制できるため、ハンドル部材１３が把持されたことをより正確に検出できるようになる。
【００７６】
また、本実施形態では、ハンドル部材１３は、少なくとも、導電部６８と、連結部６６と、収容部６２の内壁部とにメッキ処理が施され、導電部６８と連結部６６と収容部６２の内壁部とが導通している。
【００７７】
この構成によれば、部品点数を増大させることなくハンドル部材１３の外壁部に設けられた導電部６８からコイルバネ６９までの導電経路を確保できる。特に、コイルバネ６９は連結部６６だけでなく収容部６２の内壁部とも導通可能となるため導通状態がより一層安定化する。また、連結部６６に強い負荷が加わることが抑制されるため、連結部６６においてメッキが剥がれにくくなり、コイルバネ６９と連結部６６との導通が安定的に確保される。
【００７８】
また、本実施形態では、コイルバネ６９が引張ばねによって構成され、収容部６２が、中心軸Ｇ２の周方向に沿って配置される第１壁部６３と、中心軸Ｇ２の半径方向において第１壁部６３の外側に設けられ、中心軸Ｇ２の周方向に沿って配置される第２壁部６４とを備えている。そして、この場合、引張ばねは、引張状態で両端部がそれぞれ連結部６６とタッチセンサ７８側の部材とに連結されると共に、第１壁部６３と第２壁部６４とに挟まれた状態で中心軸Ｇ２の周方向に沿って配置され、且つ少なくとも第１壁部６３の内壁部との接触状態が維持されている。
【００７９】
この構成では、引張ばねを絶えず引張状態としながら、収容部６２内に収容することができるため、引張ばねが、内側に設けられた第１壁部６３の内壁部と絶えず安定的に接触することとなる。従って、引張ばね（コイルバネ６９）がハンドル部材１３の各部分と接触する接触面積を安定的に確保することができ、連結部６６等へ強い負荷が加わることをより確実に低減することができる。また、本実施形態のように、第１壁部６３の内壁部と導電部６８とが導通可能な構成においては、常に第１壁部６３と引張ばね（コイルバネ６９）との導通が確保されるため、連結部６６以外の導通経路を安定的に確保することができる。
【００８０】
また、本実施形態では、収容部６２において、中心軸Ｇ２方向の一方側に開口部６２ａが形成されている。そして、この場合、開口部６２ａの中心軸Ｇ２方向一方側において、コイルバネ６９を少なくとも部分的に覆うように開口部６２ａを閉塞する蓋部材（ロック部材４０）が設けられている。
【００８１】
この構成によれば、コイルバネ６９を収容部６２内に安定的に保持することができ、収容部６２からのコイルバネ６９の飛び出し等を防止することができる。また、ロック部材４０が蓋部材に兼用されているため、部品点数を効果的に削減しつつ、ロック構造とコイルバネ収容構造を良好に実現できる。
【００８２】
また、本実施形態では、固定部１１に対してハンドル部材１３が回動する際に、収容部６２内に配置されるコイルバネ６９が、収容部６２の底部６５及び蓋部材（ロック部材４０）に接触しつつ変位するように構成されている。
【００８３】
この構成によれば、コイルバネ６９の伸縮時に当該コイルバネ６９を収容部６２の底部６５及び蓋部材に接触させることができ、コイルバネ６９が接触する領域をより一層大きく確保することができる。特に、コイルバネ６９が収容部６２の底部６５と蓋部材（ロック部材４０）によって挟まれた状態で配置され、底部６５或いは蓋部材（ロック部材４０）の少なくともいずれかに接触しやすくなるため、連結部６６等に対して強い負荷が加わることをより効果的に抑制することができる。
【００８４】
［他の実施形態]
本発明は上記記述及び図面によって説明した実施形態に限定されるものではなく、例えば次のような実施形態も本発明の技術的範囲に含まれる。
【００８５】
上記実施形態では、収容部６２に配置される付勢部材として引張ばねを用いているが、圧縮ばねを用いることもできる。例えば、収容部６２に沿った周方向においてコイルバネ６９の配置位置とは反対側の位置（当該周方向においてコイルバネ６９が配置されていない位置）に圧縮ばねを配置し、この圧縮ばねの両端部が連結部６６及び板金部材７９の端部７９ｂをそれぞれ押すように構成されていてもよい。この構成では、ハンドル部材１３が回動するときに、この回動に応じて連結部６６が時計回りに回転し、圧縮ばねを収縮させながら端部７９ｂに近づくこととなる。
【符号の説明】
【００８６】
１…遊技機
１０・・・遊技機用発射ハンドル
１１・・・固定部（ベース部材）
１２・・・回動ベース部（ベース部材）
１２ａ・・・後方側把持部材（一方側把持部材）
１２ｂ・・・前方側把持部材（他方側把持部材）
１３・・・ハンドル部材
１４・・・角度調節機構
１５・・・ロック機構（ロック手段）
２１ａ，２１ｂ・・・被係合部
３０・・・可動片
３１ａ，３１ｂ・・・係合部
３３・・・延出部
３５・・・ストッパ部
４０・・・ロック部材（蓋部材）
４１・・・スライド部（ロック部）
４２・・・操作部
４３・・・切欠部
４４・・・湾曲内縁部
５１・・・ガイド壁
５３ａ・・・被係止部
５３ｂ・・・係止片
５４，５５・・・ボス
６１・・・基部
６２・・・収容部
６２ａ・・・開口部
６３・・・第１壁部
６４・・・第２壁部
６５・・・底部
６６・・・連結部
６５ｂ・・・長孔
６８・・・導電部
６９・・・コイルバネ（付勢部材、引張ばね）
７１ａ…後方軸部
７１ｂ…前方軸部
７８・・・タッチセンサ
７９・・・板金部材（タッチセンサ側の導通部材）
Ｇ１・・・回動軸
Ｇ２・・・中心軸
【図１】
2012016510.tif 000003
【図２】
2012016510.tif 000004
【図３】
2012016510.tif 000005
【図４】
2012016510.tif 000006
【図５】
2012016510.tif 000007
【図６】
2012016510.tif 000008
【図７】
2012016510.tif 000009
【図８】
2012016510.tif 000010
【図９】
2012016510.tif 000011
【図１０】
2012016510.tif 000012
【図１１】
2012016510.tif 000013
【図１２】
2012016510.tif 000014
【図１３】
2012016510.tif 000015
【図１４】
2012016510.tif 000016
【図１５】
2012016510.tif 000017
【図１６】
2012016510.tif 000018
【図１７】
2012016510.tif 000019
【図１８】
2012016510.tif 000020
【図１９】
2012016510.tif 000021
【図２０】
2012016510.tif 000022
【図２１】
2012016510.tif 000023
【図２２】
2012016510.tif 000024
【図２３】
2012016510.tif 000025